(57)【特許請求の範囲】
【請求項１】
開閉できるパネル(2)を有する端末機本体(1)に装着されるパック電池であって、電池を収納する本体ケース(4)と、端末機本体(1)の操作時に該端末機本体(1)に所定の傾斜角度を付与する起立位置とパネル(2)の後方で本体ケース(4)の上部の収納位置との間を移動可能な脚部(5)と、脚部(5)を本体ケース(4)に回動可能に連結して、脚部(5)を収納位置と起立位置とに切り換える回動アーム(6)と、端末機本体(1)のパネル(2)の閉塞時に脚部(5)を収納位置に移動させる弾性復帰バネ(7)とを備えることを特徴とするパック電池。
【請求項２】
回動アーム(6)が先端に回転軸(13)を有すると共に、この回転軸(13)にカム(14)を設けており、弾性復帰バネ(7)がカム(14)を押圧して、脚部(5)を弾性的に収納位置に移動させる請求項１に記載されるパック電池。
【請求項３】
回動アーム(6)の回転軸(13)に設けられたカム(14)が、弾性復帰バネ(7)が外れるのを防止する鍔(15)を有する請求項２に記載されるパック電池。
【請求項４】
脚部(5)が本体ケース(4)の背部に位置する中立位置よりも収納位置側にあるとき、弾性復帰バネ(7)が脚部(5)を弾性的に収納位置に移動させ、脚部(5)が中立位置よりも起立位置側にあるとき、弾性復帰バネ(7)が脚部(5)を弾性的に起立位置に移動させる請求項１に記載されるパック電池。
【請求項５】
弾性復帰バネ(7)が、セット具(16)で本体ケース(4)に装着されてなる請求項１に記載されるパック電池。
【請求項６】
弾性復帰バネ(7)が弾性線材で、セット具(16)が弾性線材の中間の巻部(7A)を連結している軸部(16A)と、本体ケース(4)に設けている挿入スペース(17)に挿入して連結される挿入部(16B)とを有する請求項５に記載されるパック電池。
【請求項７】
脚部(5)の両端部に回動アーム(6)を連結しており、各々の回動アーム(6)の回転軸(13)にはカム(14)を設けており、各々のカム(14)を押圧するふたつの弾性復帰バネ(7)を同一形状のセット具(16)で本体ケース(4)に装着している請求項６に記載されるパック電池。
【発明の詳細な説明】
【０００１】
【発明の属する技術分野】
本発明は、開閉できるパネルを有する端末機の背部に装着されるパック電池に関する。
【０００２】
【従来の技術】
ラップトップ型のパソコンの背部に装着されるパック電池として、パソコン本体の下面に突出する構造が開発されている。このパック電池は、パソコン全体を傾斜させてキーボードを操作しやすい角度に傾斜できる特長がある。ただ、このパック電池は、持ち運びし、あるいはカバン等に収納するときに突出部が邪魔になる欠点がある。この欠点を解消するために、図１に示すように、移動できる脚部５を設けたパック電池３が開発されている。このパック電池３は、脚部５をパソコン本体２３の背部に回動できるようにしている。このパック電池３は、パソコンを使用しないときに脚部５を邪魔にならない後方位置に移動できる。脚部５をパソコン本体２３の後方に移動できるパック電池３は、パソコン本体２３の下面をフラットにできる。
【０００３】
【発明が解決しようとする課題】
図１のパック電池は、持ち運びし、あるいは、カバン等に収納するときに、脚部５をパソコン本体２３の後方に移動させて邪魔にならないようにできる。しかしながら、その際に、脚部５を定位置まで回動させる必要があるので、脚部５を移動させる操作に手間がかかる欠点がある。また、脚部５をパソコンの後方に突出する位置に移動するので、脚部５が後方に突出して、パソコンの奥行きを長くする欠点もある。
【０００４】
本発明は、この欠点を解決することを目的に開発されたものである。本発明の重要な目的は、パソコン等の端末機のパネルを閉塞すると自動的に脚部が収納位置に移動して便利に使用できるパック電池を提供することにある。
また、本発明の他の大切な目的は、脚部を回動させて収納位置に移動させる状態で、脚部がパック電池から後方に突出せず、端末機の奥行きを短くして収納できるパック電池を提供することにある。
【０００５】
【課題を解決するための手段】
本発明のパック電池は、開閉できるパネル２を有する端末機本体１に装着される。パック電池は、電池を収納する本体ケース４と、端末機本体１の操作時に該端末機本体(1)に所定の傾斜角度を付与する起立位置とパネル(2)の後方で本体ケース(4)の上部の収納位置との間を移動可能な脚部５と、脚部５を本体ケース４に回動可能に連結して、脚部５を収納位置と起立位置とに切り換える回動アーム６と、端末機本体１のパネル２の閉塞時に脚部５を収納位置に移動させる弾性復帰バネ７とを備える。このパック電池は、端末機のパネル２を閉塞すると、弾性復帰バネ７が脚部５を弾性的に移動させて脚部５を収納位置とする。
【０００６】
回動アーム６は、先端に回転軸１３を設けると共に、この回転軸１３にカム１４を設けて、弾性復帰バネ７でカム１４を押圧して、脚部５を弾性的に収納位置に移動させることができる。回転軸１３に設けたカム１４は、鍔１５を設けて弾性復帰バネ７が外れるのを防止することができる。
【０００７】
さらに、パック電池は、脚部５が本体ケース４の背部に位置する中立位置よりも収納位置側にあるときには、弾性復帰バネ７で脚部５を弾性的に収納位置に移動させ、脚部５が中立位置よりも起立位置側にあるときには、弾性復帰バネ７で脚部５を弾性的に起立位置に移動させる構造とすることができる。
【０００８】
弾性復帰バネ７は、セット具１６で本体ケース４に装着することができる。この構造は、弾性復帰バネ７を弾性線材とし、セット具１６には弾性線材の中間の巻部７Ａを連結する軸部１６Ａと、本体ケース４に設けている挿入スペース１７に挿入される挿入部１６Ｂとを設け、挿入部１６Ｂを挿入スペース１７に入れてセット具１６で弾性復帰バネ７を本体ケース４の定位置に装着できる。さらに、この構造は、脚部５の両端部に回動アーム６を連結し、各々の回動アーム６の回転軸１３にカム１４を設け、各々のカム１４を押圧するふたつの弾性復帰バネ７を同一形状のセット具１６で本体ケース４に装着することもできる。
【０００９】
【発明の実施の形態】
以下、本発明の実施例を図面に基づいて説明する。ただし、以下に示す実施例は、本発明の技術思想を具体化するためのパック電池を例示するものであって、本発明はパック電池を以下のものに特定しない。
【００１０】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
本発明のパック電池は、開閉できるパネルを有する端末機に装着して使用される。パネルを開閉できる端末機として、たとえば、ラップトップ型のパソコンがある。ただ、本発明のパック電池は、その使用用途をパソコンに特定しない。本発明のパック電池は、開閉できるパネルを有する端末機であって、とくに、使用時にはパネルを開き、使用を中止する時ではパネルを閉塞する種々の端末機、たとえば、ＤＶＤの再生装置等に使用することもできる。以下、パネルを有する端末機としてパソコンに装着されるパック電池について詳述する。
【００１２】
図２と図３は、開閉できるパネル２を有するパソコンに装着されるパック電池３を示す。このパック電池３は、二次電池８を内蔵する本体ケース４と、この本体ケース４に、一対の回動アーム６を介して回動できるように連結している脚部５と、この脚部５を収納位置に移動させる弾性復帰バネ７とを備える。
【００１３】
このパック電池３は、パソコンを使用しないとき、図３の実線で示すように、パネル２よりも後方で、本体ケース４上の収納位置に脚部５を収納する。脚部５は、パネル２が図の実線で示す位置に閉塞されるとき、弾性復帰バネ７によって自動的にこの位置に回動される。脚部５が収納位置に移動するように、弾性復帰バネ７で脚部５を弾性的にパネル２に押し付けているからである。パソコンを使用するときは、脚部５を端末機本体１の底の起立位置に移動させる。起立位置に移動された脚部５は、端末機本体１に所定の傾斜角度を付与して、端末機を操作しやすくする。この位置に移動された脚部５は、ストッパ（図示せず）で停止される。このストッパは、脚部５を収納位置に回動するときに解除される。ただ、本発明のパック電池は、必ずしもストッパを設ける必要はない。それは、弾性復帰バネ７でもって脚部５を端末機本体１の下の起立位置で停止させることができ、あるいは、脚部５を端末機本体１の下の起立位置に移動した状態でパソコンを台の上において、脚部５をこの位置に停止できるからである。
【００１４】
本体ケース４は、プラスチック製の上ケース４Ａと下ケース４Ｂからなる。下ケース４Ｂを図４と図５に示している。これ等の図に示す下ケース４Ｂは、内部に複数の二次電池８を収納できる上方開口の箱型に成形している。上ケース４Ａは、下ケース４Ｂに連結されて、下ケース４Ｂの上方開口部を閉塞する。下ケース４Ｂと上ケース４Ａからなる本体ケース４は、脚部５の回動アーム６を連結するために連結部９を両端に設けている。本体ケース４は、連結部９との境界に、回動アーム６を回動させる回動隙間１０を設けている。回動隙間１０は、本体ケース４に対して垂直方向に設けられ、回動アーム６をこの回動隙間１０内で垂直面内で回転させる。パック電池３の脚部５は、図３に示すように、パック電池３の後方で上下に回動される。したがって、回動アーム６を回動させる回動隙間１０は、後方と上下に開口して設けられ、回動隙間１０の前部で連結部９を本体ケース４に連結している。
【００１５】
上ケース４Ａと下ケース４Ｂは、回動隙間１０に隣接している隔壁１１に、軸受凹部１２を設けている。軸受凹部１２は、上ケース４Ａと下ケース４Ｂの境界に対向して設けられる。上ケース４Ａと下ケース４Ｂが連結されると、対向する軸受凹部１２が回転軸１３を支持する貫通孔となる。この貫通孔は、上ケース４Ａと下ケース４Ｂの隔壁１１を貫通して、回動アーム６の回転軸１３を回転できるように支持する。回動隙間１０の両側に位置する隔壁１１は、対向する位置に回転軸１３を支持する貫通孔を設けている。回動アーム６の両側に突出している回転軸１３を支持するためである。回動アーム６の両側に突出する回転軸１３は、直線上に位置する。したがって、回動隙間１０の両側の隔壁１１に設けられる貫通孔も直線上に配設される。
【００１６】
本体ケース４は、端末機本体１に脱着できるように装着される。図２の本体ケース４は、端末機本体１の電源端子に接続される出力端子１９と、端末機本体１に外れないように連結する係止部２０と、さらに、端末機本体１に案内されるガイド溝２１を有する。このパック電池３は、本体ケース４のガイド溝２１に、端末機本体１のガイド凸部（図示せず）を摺動させて定位置まで挿入される。装着位置に挿入されると、係止部２０が係止されて外れないように装着される。さらに、この状態で出力端子１９が端末機本体１の電源端子に接続されて、パソコンを駆動する電力を供給する。
【００１７】
脚部５は角柱状で、図６に示すように両端に一対の回動アーム６を連結している。一対の回動アーム６は互いに平行で、脚部５に対して直交する方向に固定している。脚部５の全長は本体ケース４の全長にほぼ等しく、一対の回動アーム６で図３の実線位置から鎖線位置に移動される。
【００１８】
回動アーム６は、図７ないし図９に示すように先端に回転軸１３を固定している。図の回動アーム６はプラスチック製で、回転軸１３を一体的に成形している。回動アーム６の外側に突出している一方の回転軸１３は、カム１４を連結して設けており、さらに、カム１４よりも先端部には鍔１５を設けている。カム１４は、弾性復帰バネ７に押されて脚部５を収納位置に移動させる。鍔１５は、弾性復帰バネ７がカム１４からずれるのを防止する。
【００１９】
カム１４は、短径に対して充分に長い長径を有する楕円形で、図８と図９の一点鎖線で示す回転軸１３の回転中心に対して偏心して連結している。カム１４は、回転中心から最も離れる頂上部１４Ａが弾性復帰バネ７に押されて、脚部５を収納位置に移動させる。図３の実線で示すように、脚部５が収納位置であるＡ位置にあると、弾性復帰バネ７がカム１４の頂上部１４Ａを回転方向に押圧する。脚部５が本体ケース４の背部である図３のＢ位置にあると、弾性復帰バネ７はカム１４の頂上部１４Ａを回転中心に向かって押圧する。このカム１４は、脚部５をＢ位置に一時的に停止させる。カム１４の頂上部１４Ａを回転中心に向かって押圧する弾性復帰バネ７がカム１４を回転させないからである。脚部５が中立位置であるＢ位置から収納位置側である上にずれると、弾性復帰バネ７がカム１４の頂上部１４Ａを回転方向に押すようになって、脚部５を収納位置であるＡ位置に向かって移動させる。また、脚部５が中立位置であるＢ位置から起立位置側である下にずれても、弾性復帰バネ７がカム１４の頂上部１４Ａを逆の回転方向に押すようになって、脚部５を起立位置であるＣ位置に向かって移動させる。この構造のカム１４と弾性復帰バネ７は、脚部５を中立位置であるＢ位置で一時的に停止させ、Ｂ位置から上下にずれると、ずれた方向に脚部５を移動させて、Ａ位置またはＣ位置に移動させる。このカム１４と弾性復帰バネ７は、パソコンを使用するときと使用しないときに、脚部５を理想的な位置に移動できる特長がある。パソコンを使用するとき、脚部５は起立位置であるＣ位置に移動され、パソコンを使用しないとき、脚部５は収納位置であるＡ位置に移動されるからである。
【００２０】
ただ、本発明のパック電池は、回動アームやその回転軸に渦巻バネ等のバネの一端を連結し、バネで脚部を収納位置に移動させることもできる。図１０のパック電池３は、渦巻バネ２２の一端を回転軸１３に、他端を本体ケース４に連結している。渦巻バネ２２は、脚部５を収納位置であるＡ位置の方向に移動させる。この渦巻バネ２２は、常に脚部５を収納位置に向かって移動させる。したがって、好ましくは脚部５を起立位置であるＣ位置に停止させるストッパを設ける。このパック電池３は、パソコンを使用しないときにストッパを解除して、渦巻バネ２２で脚部５を収納位置に移動させる。
【００２１】
弾性復帰バネ７は、図１１に示すようにセット具１６を介して本体ケース４に装着される。この図の弾性復帰バネ７は、弾性線材の途中を巻いて巻部７Ａを設け、その両端部をハ字状としている。この弾性復帰バネ７は、両端部をハ字状に広げてカム１４の頂上部１４Ａを弾性的に押圧する。セット具１６は、弾性線材の巻部７Ａに挿入している軸部１６Ａと、本体ケース４に設けている挿入スペース１７に挿入して連結される挿入部１６Ｂとを有する。図のセット具１６は、金属板を細長い形状にプレス加工して製作される。図においてセット具１６は、上部を逆ｈ状に金属板を裁断してＬ字状の軸部１６Ａを設けている。このセット具１６は、弾性復帰バネ７の巻部７ＡをＬ字状の軸部１６Ａに入れて外れないように装着できる。
【００２２】
挿入部１６Ｂは、本体ケース４の挿入スペース１７に入れて装着できるように、挿入スペース１７の内幅にほぼ等しい幅で細長く延長した形状としている。挿入部１６Ｂと軸部１６Ａを設けている上部とは僅かに折曲している。弾性復帰バネ７の巻部７Ａを本体ケース４の周壁内面から離して、弾性復帰バネ７を自由に弾性変形できるようにするためである。さらに挿入部１６Ｂは、弾性復帰バネ７の一端部を位置ずれしないように案内するスリット１６Ｃを設けている。
【００２３】
セット具１６の挿入部１６Ｂを入れて定位置に連結するために、図４に示すように、本体ケース４の下ケース４Ｂは、連結部９の周壁内面に挿入スペース１７を設けている。挿入スペース部分の拡大図を図１２に示し、挿入スペース１７にセット具１６を入れた状態を図８と図９に示す。これ等の図の挿入スペース１７は、セット具１６の挿入部１６Ｂを両側で保持するために、一対のＬ字リブ１８を対向して平行に設けている。対向するＬ字リブ１８の間が挿入スペース１７である。この挿入スペース１７は、セット具１６の挿入部１６Ｂをしっかりと位置ずれしないように保持する。挿入スペース１７に挿入部１６Ｂを入れて本体ケース４に連結された弾性復帰バネ７は、一方の端部でカム１４の外周を弾性的に押圧する。
【００２４】
弾性復帰バネ７は、各々の回動アーム６のカム１４を独立して押圧する。したがって、本体ケース４は、両端部分の連結部９に弾性復帰バネ７を装着している。両端に装着される弾性復帰バネ７と、この弾性復帰バネ７を本体ケース４に連結するセット具１６は、同一形状のものが使用される。各々の弾性復帰バネ７がカム１４の外周を押圧するように、カム１４と弾性復帰バネ７の相対位置が設定される。
【００２５】
【発明の効果】
本発明のパック電池は、端末機のパネルを閉塞すると自動的に脚部を収納位置に移動させて便利に使用できると共に、脚部を収納位置に移動させる状態では、脚部がパック電池から後方に突出せず、端末機の奥行きを短くできる特長がある。それは、本発明のパック電池が、端末機本体のパネルを閉塞すると、弾性復帰バネで脚部を弾性的に移動させて、パネルよりも後方でパック電池の本体ケース上の収納位置に収納できるようにしているからである。この構造のパック電池は、パネルを水平に閉塞した状態では、弾性復帰バネが脚部を回動させるので、端末機の使用を中止する毎に、極めて簡単に脚部を所定の収納位置に移動して収納できる。さらに、脚部は、パネルよりも後方で、パック電池の本体ケース上の収納位置に収納されるので、脚部がパック電池から後方に突出することなく、端末機の奥行きを短くできる。
【図面の簡単な説明】
【図１】従来のパック電池をパソコンに装着した状態を示す側面図
【図２】本発明の一実施例にかかるパック電池の斜視図
【図３】図２に示すパック電池を端末機本体に装着した状態を示す一部断面側面図
【図４】図２に示すパック電池の本体ケースの下ケースの斜視図
【図５】図４に示す下ケースに脚部を装着する状態を示す分解斜視図
【図６】図２に示すパック電池の脚部の斜視図
【図７】図６に示す脚部の回動アームの拡大斜視図
【図８】下ケースに脚部を連結した状態を示す一部断面平面図
【図９】図２に示すパック電池の本体ケースと脚部の連結構造を示す拡大断面図
【図１０】本発明の他の実施例にかかるパック電池の概略構成図
【図１１】弾性復帰バネの拡大斜視図
【図１２】図４に示す下ケースの連結部の拡大斜視図
【符号の説明】
１…端末機本体
２…パネル
３…パック電池
４…本体ケース          ４Ａ…上ケース          ４Ｂ…下ケース
５…脚部
６…回動アーム
７…弾性復帰バネ        ７Ａ…巻部
８…二次電池
９…連結部
１０…回動隙間
１１…隔壁
１２…軸受凹部
１３…回転軸
１４…カム              １４Ａ…頂上部
１５…鍔
１６…セット具          １６Ａ…軸部            １６Ｂ…挿入部
１６Ｃ…スリット
１７…挿入スペース
１８…Ｌ字リブ
１９…出力端子
２０…係止部
２１…ガイド溝
２２…渦巻バネ
２３…パソコン本体
【図１】
0003738201.tif 000002
【図２】
0003738201.tif 000003
【図３】
0003738201.tif 000004
【図４】
0003738201.tif 000005
【図５】
0003738201.tif 000006
【図６】
0003738201.tif 000007
【図７】
0003738201.tif 000008
【図８】
0003738201.tif 000009
【図９】
0003738201.tif 000010
【図１０】
0003738201.tif 000011
【図１１】
0003738201.tif 000012
【図１２】
0003738201.tif 000013